(57)【要約】【課題】磁気飽和に強い金属磁性粒子と結合材の混練、成形品を磁気シールド材として用いて通信特性を改善するとともに、金属磁性粒子の脱落を防止したアンテナ装置を提供することを目的とする。【解決手段】金属磁性粉と結合剤を混練成形してなる磁気シールド材２と、磁気シールド材２の一方の面に配置されたスパイラルコイル１と、を備え、上記アンテナ装置の全面がカバーシート３ａ，３ｂによって被覆されている。このカバーシートは２つであり、２つのカバーシート３ａ，３ｂが、上記スパイラルコイル１と上記磁気シールド材２に密着して完全に覆い、上記磁気シールド材２の外側にて上記２つのカバーシート３ａ，３ｂが互いに接着されている。【選択図】  図３
2015065632.tif 000002
【特許請求の範囲】
【請求項１】
金属磁性粉と結合剤を混練成形してなる磁気シールド材と、
上記磁気シールド材の一方の面に配置されたスパイラルコイルと、を備え、
上記アンテナ装置の全面がカバーシートによって被覆されている
アンテナ装置。
【請求項２】
上記カバーシートは２つであり、上記２つのカバーシートが、上記スパイラルコイルと上記磁気シールド材に密着して完全に覆い、上記磁気シールド材の外側にて上記２つのカバーシートが互いに接着されている
請求項１記載のアンテナ装置。
【請求項３】
上記カバーシートが、片面あるいは両面に粘着性を有する
請求項１記載のアンテナ装置。
【請求項４】
上記スパイラルコイルが、接着層を介して上記磁気シールド材に接着される
請求項１記載のアンテナ装置。
【請求項５】
上記磁気シールド材は、平板状である
請求項１記載のアンテナ装置。
【請求項６】
外部回路と接続するための端子部を更に有する
請求項１記載のアンテナ装置。
【請求項７】
上記端子部は、上記カバーシートにより挟まれており、当該カバーシートから外部に突出するように形成されている
請求項６記載のアンテナ装置。
【請求項８】
上記磁気シールド材の一部に切欠き部が設けられ、上記端子部は当該切欠き部に配置されている
請求項６記載のアンテナ装置。
【請求項９】
請求項１乃至８のいずれか記載のアンテナ装置を含む電子機器。
【請求項１０】
第１の磁性材料により形成された第１の磁性シートと、上記第１の磁性シート上に設けられ、面状に巻回された第１のループコイルと、を備えた第１のアンテナ装置と、
上記第１の磁性シートと異なる第２の磁性材料により形成された第２の磁性シートと、上記第２の磁性シート上に設けられ、面状に巻回された第２のループコイルと、を備えた第２のアンテナ装置と、を有し、
上記第１のループコイルの内側には、上記第１の磁性シートが設けられておらず、且つ上記第２の磁性シート及び第２のループコイルが設けられており、
上記第１及び第２のアンテナ装置を含む全面がカバーシートによって被覆されている
複合アンテナ装置。
【請求項１１】
上記第１及び第２の磁気シートのうち少なくとも一つが磁性粉と接合体を混練成形してなる磁性体である
請求項１０に記載の複合アンテナ装置。
【請求項１２】
第１の磁性材料により形成された第１の磁性シートと、上記第１の磁性シート上に設けられ、面状に巻回された第１のループコイルと、を備えた第１のアンテナ装置と、
上記第１の磁性シート上であって、上記第１のループコイルの内側に設けられ、面状に巻回された第２のループコイルを備えた第２のアンテナ装置と、を有し、
上記第１及び第２のアンテナ装置を含む全面がカバーシートによって被覆されている
複合アンテナ装置。
【請求項１３】
第１の磁性材料により形成された第１の磁性シートと、上記第１の磁性シート上に設けられ、面状に巻回された第１のループコイルと、を備えた第１のアンテナ装置と、
上記第１の磁性シートと異なる第２の磁性材料により形成された第２の磁性シートと、上記第２の磁性シート上に設けられ、面状に巻回された第２のループコイルと、を備えた第２のアンテナ装置と、を有し、
上記第１のアンテナ装置の全面がカバーシートによって被覆されており、
上記カバーシートの上に上記第２のアンテナ装置が配設される
複合アンテナ装置。
【請求項１４】
上記カバーシートが、片面あるいは両面に粘着性を有する
請求項１０乃至１３のいずれかに記載の複合アンテナ装置。
【請求項１５】
上記第１のループコイルが、接着層を介して上記第１の磁性シートに接着される
請求項１０乃至１３のいずれかに記載の複合アンテナ装置。
【請求項１６】
外部回路と接続するための端子部を更に有する
請求項１０乃至１３のいずれかに記載の複合アンテナ装置。
【請求項１７】
上記端子部は、上記カバーシートにより挟まれており、当該カバーシートから外部に突出するように形成されている
請求項１６記載の複合アンテナ装置。
【請求項１８】
上記カバーシートの一部に開口部が設けられ、上記端子部は当該開口部から露呈している
請求項１６記載の複合アンテナ装置。
【請求項１９】
請求項１０乃至１８のいずれかに記載の複合アンテナ装置を含む電子機器。
【請求項２０】
非接触電力伝送用のアンテナ装置である
請求項１０乃至１８のいずれかに記載の複合アンテナ装置。
【発明の詳細な説明】
【技術分野】
【０００１】
本発明は、例えば携帯型の電子機器等に搭載されるアンテナ装置等に係り、特に、スパイラルコイルと、金属磁性粉末と結合剤を混練して作製した磁気シールド材と、粘着性を有するカバーシートとを有し、当該スパイラルコイルと磁気シールド材の集合体をカバーシートにより接着密封したアンテナ装置、複合アンテナ装置、及びこれらを用いた電子機器に関する。
【背景技術】
【０００２】
近年、無線通信機器においては、電話通信用アンテナ、ＧＰＳ（Global Positioning System）用アンテナ、無線ＬＡＮ（Local Area Network）／Ｂｌｕｅｔｏｏｔｈ（登録商標）用アンテナ、さらにはＲＦＩＤ（Radio Frequency Identification）といった複数のＲＦアンテナが搭載されている。これらに加えて、非接触充電の導入に伴って、電力伝送用のアンテナコイルも搭載されるようになってきた。このような非接触充電方式で用いられる電力伝送方式としては、例えば、電磁誘導方式、電波受信方式、磁気共鳴方式等が挙げられる。これらは、いずれも一次側コイルと二次側コイル間の電磁誘導や磁気共鳴を利用したものであり、上述したＲＦＩＤも電磁誘導を利用している。
【０００３】
これらのアンテナは、アンテナ単体で目的の周波数において最大の特性が得られるように設計されていても、実際に電子機器に実装されると、目的の特性を得ることは困難である。これは、アンテナ周辺の磁界成分が周辺に位置する金属等と干渉（結合）し、アンテナコイルのインダクタンスが実質的に減少するために、共振周波数がシフトしてしまうことによる。また、インダクタンスの実質的減少によって、受信感度が低下してしまう。これらの対策として、アンテナコイルとその周辺に存在する金属との間に磁気シールド材を挿入することによって、アンテナコイルから発生した磁束を磁気シールド材に集めることによって、金属による干渉を低減させることがなされている。このように、磁気シールド材は、電子機器筺体や基板などの金属による干渉を低減させるものであり、フェライト等の高透磁率材料が一般には用いられている。
【０００４】
これらアンテナは、アンテナコイルと磁気シールド材とが組み合わせて用いられることが多いが、スマートフォン等のモバイル機器に内蔵して用いる場合、上記のように複数のアンテナを搭載するために、各搭載エリアを確保するのは困難となっていた。
【０００５】
一方、特許文献１では、平板状の磁性体と、磁性体の一方の面に設けられた非接触通信用コイル及び非接触給電用コイルとを備えた、非接触伝送デバイスが開示されている。ここでいう、磁性体とは、一般的なフェライト焼成物である。
【０００６】
また、特許文献２では、磁性シートを開示しており、当該磁性シートでは、板状のフェライトを予め細かく分割したものの上下面を２枚の支持層で挟み込んでいる。しかしながら、この磁性シートの側面端部に支持層はなく、フェライトが露出しているので所謂粉落ちのおそれがある。
【先行技術文献】
【特許文献】
【０００７】
【特許文献１】特開２０１３−２１９０２号公報
【特許文献１】特開２０１１−２１３３７号公報
【発明の概要】
【発明が解決しようとする課題】
【０００８】
しかるに、上述したようなアンテナでは、磁気シールド材の透磁率が高いほど金属による干渉を低減させ通信効率を上げることができるので、一般には、前述したように、フェライト等の高透磁率材料が用いられることが多い。
【０００９】
ＷＰＣ（Wireless Power Consortium）準拠の非接触給電用途では、送電側モジュールに強力な磁石を用いたモジュールも加えられているが、この送電モジュールに対して薄いフェライトを用いて受信用のアンテナ装置を構成すると、フェライトが磁気飽和を起こすため良好な通信ができない。このような点に鑑みて、モバイル用途で薄型が要求されるアンテナ装置では、磁気シールド用の材料として金属磁性粉末を結合剤で混練して成形した磁性材を用いる方法が考案されている。
【００１０】
しかしながら、磁気特性を上げるために磁気シールド材への金属磁性粒子の充填率を上げていくと、相対的に樹脂の割合が減り、金属磁性粒子同士を結合保持するための強度が弱くなり、金属磁性粒子が脱落しやすくなる。即ち、所謂粉落ちのおそれがある。このため、アンテナ装置の取り付け時、あるいは使用時の振動、衝撃等で金属粒子が脱落し、周辺の電気回路に付着すると電気回路を破壊する危険がある。
【００１１】
そこで、本発明は、磁気飽和に強い金属磁性粒子と結合材の混練、成形品を磁気シールド材として用いて通信特性を改善するとともに、問題となる金属磁性粒子の脱落を防止したアンテナ装置を提供することを目的とする。
【００１２】
さらに、本発明は、これに加えて、一のアンテナ装置と他のアンテナ装置とを狭い専有面積内で組み合わせた複合アンテナ装置を提供することを目的とする。また、これらを用いた電子機器を提供することを目的とする。
【課題を解決するための手段】
【００１３】
上述した課題を解決するために、本発明の一態様に係るアンテナ装置は、金属磁性粉と結合剤を混練成形してなる磁気シールド材と、上記磁気シールド材の一方の面に配置されたスパイラルコイルと、を備え、上記アンテナ装置の全面がカバーシートによって被覆されている。
【００１４】
さらに、本発明の他の態様に係る複合アンテナ装置は、第１の磁性材料により形成された第１の磁性シートと、上記第１の磁性シート上に設けられ、面状に巻回された第１のループコイルと、を備えた第１のアンテナ装置と、上記第１の磁性シートと異なる第２の磁性材料により形成された第２の磁性シートと、上記第２の磁性シート上に設けられ、面状に巻回された第２のループコイルと、を備えた第２のアンテナ装置と、を有し、上記第１のループコイルの内側には、上記第１の磁性シートが設けられておらず、且つ上記第２の磁性シート及び第２のループコイルが設けられており、上記第１及び第２のアンテナ装置を含む全面がカバーシートによって被覆されている。
【００１５】
また、本発明の更に他の態様に係る複合アンテナ装置は、第１の磁性材料により形成された第１の磁性シートと、上記第１の磁性シート上に設けられ、面状に巻回された第１のループコイルと、を備えた第１のアンテナ装置と、上記第１の磁性シート上であって、上記第１のループコイルの内側に設けられ、面状に巻回された第２のループコイルを備えた第２のアンテナ装置と、を有し、上記第１及び第２のアンテナ装置を含む全面がカバーシートによって被覆されている。
【００１６】
更に、本発明の更に他の態様に係る複合アンテナ装置は、第１の磁性材料により形成された第１の磁性シートと、上記第１の磁性シート上に設けられ、面状に巻回された第１のループコイルと、を備えた第１のアンテナ装置と、上記第１の磁性シートと異なる第２の磁性材料により形成された第２の磁性シートと、上記第２の磁性シート上に設けられ、面状に巻回された第２のループコイルと、を備えた第２のアンテナ装置と、を有し、上記第１のアンテナ装置の全面がカバーシートによって被覆されており、上記カバーシートの上に上記第２のアンテナ装置が配設される。
【発明の効果】
【００１７】
従って、本発明に係るアンテナ装置によれば、磁気シールド材が磁気飽和に強い高透磁率金属磁性粒子を結合剤で固めることにより形成されているので、磁気飽和にも強く良好な通信を行うことができる。
【００１８】
また、本発明に係るアンテナ装置によれば、磁気シールド材にはスパイラルコイルの位置決めをする突起部が形成されてもよく、その場合、スパイラルコイルの位置決めが容易で、更に、磁気シールドとスパイラルコイルの集合体を、上下から粘着性を有するカバーシートにより挟み込むようにして接着されるので、作製が極めて容易となる。
【００１９】
さらに、本発明に係るアンテナ装置によれば、粘着性を有するカバーシートは集合体をはみ出した部分にて互いに接着されるので、集合体を完全に封止することになり、磁気シールド材の欠けや、磁気シールド材を構成する金属粒子の脱落が生じても外部に放出されないので、周辺電気回路に対して悪影響を及ぼすことがない。
【００２０】
また、本発明に係る複合アンテナ装置によれば、上記効果に加えて、一方の金属粉末と結合剤を混練して作製された磁気シールド材を用いる一のアンテナ装置が、上下から粘着性を有するカバーシートにより挟み込むようにして接着密封されているので、金属磁性粉の脱落、飛散の心配がなく、更に他のアンテナ装置は、上記カバーシートの面に形成されるので、その設置に必要な面積を小さくすることができる。
【図面の簡単な説明】
【００２１】
【図１】本発明が適用された第１の実施の形態に係るアンテナ装置の斜視図である。
【図２】本発明が適用された第１の実施の形態に係るアンテナ装置の磁気シールド材にスパイラルコイルが設置された状態を示す斜視図である。
【図３】本発明が適用された第１の実施形態に係るアンテナ装置の作製方法を示す組立図である。
【図４】本発明が適用された第１の実施形態に係るアンテナ装置の他の作製方法を示す組立図である。
【図５】（ａ），（ｂ）は本発明が適用された第１の実施形態に係るアンテナ装置が設置された状態を示す側面図であり、（ａ）は電池パック等に貼りつけて使用する場合を示す図であり、（ｂ）は筐体側に貼りつけて使用する場合を示す図である。
【図６】本発明が適用された第１の実施形態に係るアンテナ装置に使用される磁気シールド材の他の形状を示す斜視図であり、（ａ）はスパイラコイルの内周側、外周側に磁気シールド材の凸部が形成されている例を示す図であり、（ｂ）はスパイラルコイルの内周側と外周側の一部に磁気シールド材の凸部が形成されている例を示す図であり、（ｃ）はスパイラルコイルの内周側にのみ磁気シールド材の凸部が形成されている例を示す図であり、（ｄ）は平板状の磁気シールド材を示す図である。
【図７】本発明が適用された第２の実施形態に係るアンテナ装置の斜視図を示すもので、（ａ）は特に外部回路との接続のための端子板がカバーシートの外側に付与されている例を示す図であり、（ｂ）は内側に付与されている例を示す図である。
【図８】本発明が適用された第２の実施形態に係るアンテナ装置の磁気シールド材にスパイラルコイルが設置された状態を示す斜視図である。
【図９】本発明が適用された第２の実施形態に係るアンテナ装置の斜視図である。
【図１０】本発明が適用された第３の実施形態に係る複合アンテナ装置の斜視図である。
【図１１】本発明が適用された第３の実施形態に係るアンテナ装置の斜視図を示すもので、（ａ）は外部回路との接続のための端子部がカバーシートの外側に設けられた例を示す図であり、（ｂ）はカバーシートの内側に設けられた例を示す図である。
【図１２】本発明が適用された第３の実施形態に係る複合アンテナ装置の一のアンテナ装置の部分を示す斜視図である。
【図１３】本発明が適用された第３の実施形態に係る複合アンテナ装置の作製方法を示す組立図である。
【図１４】本発明が適用された第３の実施形態に係る複合アンテナ装置の他の作製方法を示す組立図である。
【発明を実施するための形態】
【００２２】
以下、本発明を実施するための形態について、図面を参照しながら詳細に説明する。なお、本発明は、以下の実施形態のみに限定されるものではなく、本発明の要旨を逸脱しない範囲内において種々の変更が可能であることは勿論である。
【００２３】
本発明は、スパイラルコイルと、金属磁性粉末と結合剤を混練して作製した磁気シールド材と、カバーシートからなるアンテナ装置に関し、スパイラルコイルと磁気シールド材の集合体を、粘着性を有するカバーシートにより接着密封したアンテナ装置に関するものである。
【００２４】
さらに、本発明は、スパイラルコイルと、金属磁性粉と接合体を混練成形してなる磁気シールド材とが、二つのカバーシートにより挟み込むようにして接着され、この二つのカバーシートが端部で互いに接合されたアンテナ装置と、カバーシートの接合部の面上に他のスパイラルコイルと他の磁気シールド材を設置してなる他のアンテナ装置とを具備したことを特徴とする複合アンテナ装置に関する。
【００２５】
以下、第１乃至第３の実施形態について詳述する
【００２６】
＜第１の実施形態＞
【００２７】
先ず、図１，２を参照して、本発明の第１の実施形態に係るアンテナ装置の構成について説明する。
【００２８】
図１，２に示されるように、アンテナ装置６は、導線を渦巻状に巻回して形成されたスパイラルコイル１と、磁性粒子と結合剤を混練して作製した磁気シールド材２、及びスパイラルコイル１を磁気シールド材２に組み込んだ集合体（図２）の全部分を覆うように貼り付けられるカバーシート３ａ，３ｂを備えている。スパイラルコイル１は、導線の端部に引出部４（４ａ，４ｂ）を有しており、当該引出部４ａ，４ｂに整流回路等を接続することによって、非接触充電回路の二次側回路を構成する。
【００２９】
磁気シールド材２には、引出部４（４ａ，４ｂ）を埋設するための引出部用溝５（５ａ，５ｂ）が設けられている。スパイラルコイル１の内周側の引出部（導線端部）４ｂは引出部用溝５ｂに沿って、スパイラルコイル１の外周側の引出部（導体端部）４ａは引出部用溝５ａに沿って、それぞれ磁気シールド材２の外側に導かれる。引出部用溝５は引出部４を固定させることからスパイラルコイル１の位置決めがより確実にでき、更に引出部４の端部位置を限定するので、外部回路との接合が容易となる。磁気シールド材２の内側と外側に突起部（凸部）も設けられている。前記突起部はアンテナ性能の改善と、前記スパイラルコイル１の取り付け位置を明確にするために設けられたものであるが一方あるいは両方を省略してもよい。
【００３０】
また、内周側からの引出部４ｂを磁気シールド材２の中に埋設させるので、この導線の厚さに相当する分、アンテナ装置６全体の厚みを薄くすることができる。アンテナ装置６の厚さに余裕があり、また外部回路との接続も容易な場合は、磁性シールド材２に設ける引出部用溝５a，５ｂの一方あるいは両方を省略することができる。
【００３１】
カバーシート３ａ，３ｂは、基材となる誘電体シートの片面、あるいは両面に粘着層を形成したシートであって、磁性シールド材２よりも大きな面積を有する。カバーシート３ａ，３ｂは、スパイラルコイル１を磁気シールド材２に組み込んでなる集合体を上下から被覆するようにして接着され、その端部が集合体よりも外側において相互に密着されている。したがって、最終的には、図１に示したように、カバーシート３ａ，３ｂの密着部がアンテナ装置６の縁を形成し、スパイラルコイル１の引出部４のみが、当該縁から外側に引き出された形態となる。
【００３２】
磁気シールド材２は、金属磁性粉末からなる磁性粒子と結合剤としての樹脂とを含んでいる。そして、磁性粒子は、Ｆｅ系、Ｃｏ系、Ｎｉ系、Ｆｅ−Ｎｉ系、Ｆｅ−Ｃｏ系、Ｆｅ−Ａｌ系、Ｆｅ−Ｓｉ系、Ｆｅ−Ｓｉ−Ａｌ系、Ｆｅ−Ｎｉ−Ｓｉ−Ａｌ系等の結晶系、微結晶系金属磁性体、あるいはＦｅ−Ｓｉ−Ｂ系、Ｆｅ−Ｓｉ−Ｂ−Ｃｒ系、Ｃｏ−Ｓｉ−Ｂ系、Ｃｏ−Ｚｒ系、Ｃｏ−Ｎｂ系、Ｃｏ−Ｔａ系等のアモルファス金属磁性体の粒子である。磁気シールド材２は、磁性粒子の他に、熱伝導性や粒子充填性等を向上させるためのフィラーを含むことができる。
【００３３】
磁気シールド材２に用いる磁性粒子には、粒径が数μｍ〜２００μｍの球形、回転楕円体形、あるいは粉砕された粉末を用いるが、単体の磁性粉のみならず粉径、材質、形状の異なる粉末を混合して用いても良い。金属磁性粒子を用いる場合には、複素透磁率が周波数特性を有しており、動作周波数が高くなると表皮効果により損失が生じるので、使用する周波数の帯域に応じて粒径及び形状を調整するとよい。
【００３４】
また、アンテナ装置６のインダクタンス値は、磁気シールド材２の実部平均透磁率（以下、単に平均透磁率という。）に大きく依存するが、この平均透磁率は磁性粉と樹脂との混合比率により調整することができる。
【００３５】
磁性粉を多く充填すると、磁気シールド材２の平均透磁率を向上させることができるが、その一方で結合剤の割合が少なくなるので、例えば、金属粒子と結合剤を混練してシート化する場合は、気泡が入り易くシート化することが困難になる。また、充填率を上げるために金属粒子と結合剤を金型に充填し高圧プレス及び加熱処理して作製した、所謂圧粉成形品においては金属粒子が脱落しやすくなる。このため、金属磁性粒子の充填率は、これら不具合点も考慮して決める。
【００３６】
また、磁気シールド材２は、材質、充填率の異なる複数の磁気シールド材を組み合わせた積層構造、複合構造として用いることができ、更に強度補強あるいは防錆処理等の目的で樹脂を含浸させたり、コーティングを施したりすることができる。
【００３７】
結合剤は、熱、紫外線照射等により硬化する樹脂等を用いる。結合剤としては、たとえばエポキシ樹脂、フェノール樹脂、メラミン樹脂、ユリア樹脂、不飽和ポリエステル等の樹脂、あるいはシリコーンゴム、ウレタンゴム、アクリルゴム、ブチルゴム、エチレンプロピレンゴム等のゴム等周知の材料を用いることができる。但し、これらに限られないことは勿論である。なお、上述の樹脂又はゴムに、難燃剤、反応調整剤、潤滑剤、架橋剤又はシランカップリング剤等の表面処理剤を適量加えてもよい。
【００３８】
スパイラルコイル１を形成する導線は０．１５ｍｍ〜０．５ｍｍの径のＣｕ又はＣｕを主成分とする合金からなる単線を用いることが好ましい。あるいは、導線の表皮効果を低減させるために、上述の単線よりも細い細線を複数本束ねた並行線、編線を用いてもよく、厚みの薄い平角線又は扁平線を用いて１層、又は２層のα巻としてもよい。更に、コイル部を薄くするために導体を誘電体基材の片面あるいは両面に薄くパターニングして作製したＦＰＣ（Flexible printed circuit）コイルを用いることもできる。
【００３９】
次に、図１乃至図３を参照して、第１の実施形態に係るアンテナ装置の製造方法について説明する。
【００４０】
まず、図３に示されるように、スパイラルコイル１、磁気シールド材２、カバーシート３ａ，３ｂを用意する。ここでは磁気シールド材２に、スパイラルコイル１の形状に相当する凹部及びスパイラルコイル１の引出部４（４ａ，４ｂ）を収納する引出部用溝５（５ａ，５ｂ）を設けた圧粉成形コアを用いている。換言すれば、磁気シールド材２には、その中央部および外周部に位置決めのための突起部（凸部）が設けられる。
【００４１】
この磁気シールド材２の形状としては、図６（ａ）乃至（ｃ）に示されるような磁気シールド材１２，２２，３２であってもよく、複数のスパイラルコイルに対応した形状のものであってもよい。つまり、凸部はスパイラルコイル１の位置決めを容易にする役割を併せ持っており、スパイラルコイル１の位置決めを容易にするものであれば、どのようが形状であってもよい。また、前記位置決めの精度が特に重要でない場合は、図６（ｄ）に示されるように、磁気シールド材４２として突起部の無い平板を用いることができる。
【００４２】
なお、このような圧粉成形材を使用する場合は、金型からの抜きを容易にするためと、後に続くカバーシート３ａ，３ｂの貼り付け時にカバーシート３ａ，３ｂを傷つけないようにするために、エッジが面取された形状になるように設計するのが好ましい。
【００４３】
次に、図２に示したようにスパイラルコイル１を磁気シールド材２の凹部に挿入して一体化させる。この時、スパイラルコイル１の外周及び内周からの引出部４ａ，４ｂは、磁気シールド材２の引出部溝５ａ，５ｂにそれぞれ収納させる。この後、図３に示されたカバーシート３ａ、３ｂを上下から挟み込むようにして接着させ、スパイラルコイル１と磁気シールド材２の一体物の外側でカバーシート３ａ，３ｂを密着させることで図１に示したようなアンテナ装置６が完成する。
【００４４】
スパイラルコイル１と磁気シールド材２の接着をより確実に行うために、図４に示されるように、接着層２０を用いることもできる。即ち、図４の構成では、スパイラルコイル１と磁気シールド材２との間に接着層２０が介在することになる。この場合、スパイラルコイル１で発生した熱をより有効に磁気シールド材側に逃す目的で、熱伝導材を含有した熱伝導性の接着剤を用いることができる。
【００４５】
完成品では、スパイラルコイル１と磁気シールド材２とがカバーシート３ａ，３ｂにより完全に隠されており、またスパイラルコイル１からの引出部５がカバーシート３ａ，３ｂの間から引き出された形態となっている。
【００４６】
集合体をカバーシート３ａ，３ｂで覆うときに、図７（ａ）に示されるように、外部との接続を容易にするための端子部９をカバーシート３ａ，３ｂの間に挟み込んで使用することができる。端子部９は外部回路のコネクタに直接挿入できるタイプであってもよいし、外部端子と先端がバネで伸縮する可動型プローブピンとしてのボゴピン等で接続できるような電気的コンタクト可能な十分な領域を有するランドを有したものであればよい。
【００４７】
図７（ｂ）は他の例であり、端子部１０は磁気シールド材の上面あるいは磁気シールド材の一部に切欠き部１０ａを設け、当該切欠き部１０ａに端子部１０を配置している。端子部１０の外周側はカバーシート３ａにより覆われた構造となっている。端子部１０は切欠き部１０ａから外部に露呈しているので、外部との接続は容易となる。
【００４８】
このような製造方法によれば、アンテナ装置６は、（１）スパイラルコイル１の磁気シールド材２への組み込み、（２）カバーシート３ａ，３ｂでの接着、封止、の二つの工程で作製できるので作製が容易であり、また磁気シールド材２の形状により、スパイラルコイル１の位置決め精度を良好とすることができるので、アンテナ装置６の性能が安定化する。さらに、金属磁性粉末を使用した磁気シールド材２がカバーシート３ａ，３ｂにより安全に密封されているので、金属磁性粉の周辺回路に飛散を防止し電気的な不具合を起こす事態を回避することができる。
【００４９】
また、このようなアンテナ装置６は、図５（ａ）に示されるように回路基板、当該回路基板を覆うエンクロージャー等の金属シールド及びバッテリーバック等、本体７の一部を構成する部分や、図５（ｂ）に示されるように筐体８側に貼りつけて用いられる。よってそれら本体７や筺体８への貼付け部分に相当する側のカバーシート３ａ又は３ｂを両面接着タイプ仕様にしておけば、特別な工程を追加することなく、剥離シートを剥してそのまま張り付けて使用することができることとなる。
【００５０】
以上説明したように、本発明の第１の実施形態によれば、スパイラルコイル１と、金属粉末と結合剤を混練して作製した磁気シールド材２と、カバーシート３ａ，３ｂと、からなり、上記磁気シールド材２が上記スパイラルコイル１の位置決めを行う部分を有し、上記スパイラルコイル１を上記磁気シールド材２に設置してなる集合体を、粘着性を有する上記カバーシート３ａ，３ｂにより接着密封するアンテナ装置６が提供される。
【００５１】
従って、第１の実施形態に係るアンテナ装置によれば、磁気シールド材にはスパイラルコイルの位置決めをする部分が形成されているので、スパイラルコイルの位置決めが容易で、更に、磁気シールドとスパイラルコイルの集合体を、上下から粘着性を有するカバーシートにより挟み込むようにして接着しているので、作製が極めて容易となる。さらに、粘着性を有するカバーシートは集合体をはみ出した部分にて互いに接着されるので、集合体を完全に封止することになり、振動、衝撃等の外力が加わることにより磁気シールド材の欠けや、磁気シールド材を構成する金属粒子の脱落が生じても外部に放出されないので、周辺電気回路に対して悪影響を及ぼすことがない。
【００５２】
＜第２の実施形態＞
【００５３】
次に、図８，９を参照して、本発明の第２の実施形態に係るアンテナ装置の構成について説明する。
【００５４】
図８，９に示されるように、アンテナ装置１６は、導線を渦巻状に巻回して形成されたスパイラルコイル１１と、磁性粒子と結合剤を混練して作製した磁気シールド材１７、及び、その外周側に配置された他のスパイラルコイル２１、他の磁気シールド材１８、そしてこれらの全部分を被覆するように貼り付けられるカバーシート１３ａ，１３ｂを備えている。スパイラルコイル１１は、導線の端部に引出部１４ａ，１４ｂを有し、他のスパイラルコイル２１は、導線の端部に引出部２４ａ，２４ｂを有している。
【００５５】
磁気シールド材１７には、引出部１４（１４ａ，１４ｂ）を埋設するための引出部用溝１５（１５ａ，１５ｂ）が設けられており、スパイラルコイル１１の内周側の引出部（導線端部）１４ｂは引出線用溝１５ｂに沿って、スパイラルコイル１１の外周側の引出部（導体端部）１４ａは引出部用溝１５ａに沿って、それぞれ磁気シールド材１７の外側に導かれている。
【００５６】
この引出部用溝１５は、引出部１４を固定させることから、スパイラルコイル１１の位置決めがより確実にでき、更に引出部１４の端部位置を限定するので、外部回路との接合が容易となる。また、内周側からの引出部１４ｂを磁気シールド材１７の中に埋設させるので、この導線の厚さに相当する分、アンテナ装置１６全体の厚みを薄くすることができる。さらに、アンテナ装置１６の厚さに余裕があり、また外部回路との接続も容易な場合には、磁性シールド材１７に設ける引出部用溝１５ａ，１５ｂの一方あるいは両方を省略することができる。
【００５７】
図８，９に示される例では、磁気シールド材１７の外周側に他のスパイラルコイル２１と他の磁気シールド材１８を設けているが、磁気シールド材１７はスパイラルコイル１１と同様に、他のスパイラルコイル２１と他の磁気シールド材１８を埋め込むような形状としてもよい。
【００５８】
カバーシート１３ａ，１３ｂは、基材となる誘電体シートの片面、あるいは両面に粘着層を形成したシートで他のスパイラルコイル２１や他の磁性シールド材１８よりも大きな面積を有する。カバーシート１３ａ，１３ｂは、スパイラルコイル１１、他のスパイラルコイル２１、磁気シールド材１７、他の磁気シールド材１８を上下から覆うようにして接着され、その端部が集合体よりも外側において相互に密着される。したがって、最終的には、図８，９に示したように、カバーシート１３ａ，１３ｂの密着部がアンテナ装置１６の縁を形成し、スパイラルコイル１１の引出部１４、他のスパイラルコイル２１の引出部２４が当該縁から外側に引き出された形態となる。
【００５９】
磁気シールド材１７は、金属磁性粉末からなる磁性粒子と結合剤としての樹脂とを含んでいる。磁性粒子はＦｅ系、Ｃｏ系、Ｎｉ系、Ｆｅ−Ｎｉ系、Ｆｅ−Ｃｏ系、Ｆｅ−Ａｌ系、Ｆｅ−Ｓｉ系、Ｆｅ−Ｓｉ−Ａｌ系、Ｆｅ−Ｎｉ−Ｓｉ−Ａｌ系等の結晶系、微結晶系金属磁性体、あるいはＦｅ−Ｓｉ−Ｂ系、Ｆｅ−Ｓｉ−Ｂ−Ｃｒ系、Ｃｏ−Ｓｉ−Ｂ系、Ｃｏ−Ｚｒ系、Ｃｏ−Ｎｂ系、Ｃｏ−Ｔａ系等のアモルファス金属磁性体の粒子である。磁気シールド材１７は、上記磁性粒子の他に、熱伝導性や粒子充填性等を向上させるためのフィラーを含むことができる。
【００６０】
そして、この磁気シールド材１７に用いる磁性粒子には、粒径が数μｍ〜２００μｍの球形、回転楕円体形、あるいは粉砕された粉末を用いるが、単体の磁性粉のみならず粉径、材質、形状の異なる粉末を混合して用いても良い。金属磁性粒子を用いる場合には、複素透磁率が周波数特性を有しており、動作周波数が高くなると表皮効果により損失が生じるので、使用する周波数の帯域に応じて粒径及び形状を調整する。また、アンテナ装置１６のインダクタンス値は、磁気シールド材１７の実部平均透磁率（以下、単に平均透磁率という。）に大きく依存するが、この平均透磁率は磁性粉と樹脂との混合比率により調整することができる。
【００６１】
磁性粉を多く充填すると磁気シールド材１７の平均透磁率を向上させることができるが、結合剤の割合が少なくなるので、例えば、金属粒子と結合剤を混練してシート化する場合は、気泡が入りやすくシート化することが困難になる。また充填率を上げるために金属粒子と結合剤を金型に充填し高圧プレス及び加熱処理して作製した、所謂圧粉成形品においては金属粒子が脱落しやすくなる。このため、金属磁性粒子の充填率はこれら不具合点も考慮して決める。
【００６２】
また、磁気シールド材１７は、材質、充填率の異なる複数の磁気シールド材を組み合わせた積層構造、複合構造として用いることができ、更に強度補強あるいは防錆処理等の目的で樹脂を含浸させたり、コーティングを施したりすることができる。
【００６３】
他の磁気シールド材１８としては、磁気シールド材１７と同じ磁性粒子と結合体からなる材料、あるいは材質、配合量を変更した材料を用いることができる。更に、Ｍｎ−Ｚｎ、Ｎｉ−Ｚｎ系の酸化物磁性体や、Ｆｅ系、Ｃｏ系、Ｎｉ系、Ｆｅ−Ｎｉ系、Ｆｅ−Ｃｏ系、Ｆｅ−Ａｌ系、Ｆｅ−Ｓｉ系、Ｆｅ−Ｓｉ−Ａｌ系、Ｆｅ−Ｎｉ−Ｓｉ−Ａｌ系等の結晶系、微結晶系金属磁性体、あるいはＦｅ−Ｓｉ−Ｂ系、Ｆｅ−Ｓｉ−Ｂ−Ｃｒ系、Ｃｏ−Ｓｉ−Ｂ系、Ｃｏ−Ｚｒ系、Ｃｏ−Ｎｂ系、Ｃｏ−Ｔａ系等のアモルファス金属磁性体を用いることができる。
【００６４】
以上説明したように、本発明の第２の実施形態によれば、一のスパイラルコイル１１及び他のスパイラスコイル２１と、金属粉末と結合剤を混練して作製した一の磁気シールド材１７及び他の磁性シールド材１８と、カバーシート１３ａ，１３ｂと、からなり、上記スパイラルコイル１１，２１を上記磁気シールド材１７，１８に設置してなる集合体を粘着性を有する上記カバーシート１３ａ，１３ｂにより接着密封するアンテナ装置１６が提供される。
【００６５】
従って、第２の実施形態に係るアンテナ装置によれば、粘着性を有するカバーシートは集合体をはみ出した部分にて互いに接着されるので、集合体を完全に封止することになり、磁気シールド材の欠けや、磁気シールド材を構成する金属粒子の脱落が生じても外部に放出されないので、周辺電気回路に対して悪影響を及ぼすことがない。
【００６６】
＜第３の実施形態＞
【００６７】
次に、図１０乃至１２を参照して、本発明の第３の実施形態に係る複合アンテナ装置の構成について説明する。
【００６８】
図１０に示されるように、複合アンテナ装置５０は、一のアンテナ装置５６と他のアンテナ装置６３とからなる。他のアンテナ装置６３は、他のスパイラルコイル６１と、一方の面が他のスパイラルコイル６１に密着して設置される他の磁性シールド材６２とからなる。他のアンテナ装置６３は、一のアンテナ装置５６を後述するように覆うカバーシート５３ａ，５３ｂのうち、上面のカバーシート５３ａの上に配設される。
【００６９】
ここで、カバーシート５３ａ，５３ｂで覆うときに、図１１（ａ）に示されるように外部との接続を容易にするための端子部７１をカバーシート５３ａ，５３ｂの間に挟み込んで使用することもできる。端子部７１は、外部回路のコネクタに直接挿入できるタイプであってもよいし、外部端子とボゴピン等で接続できるような電気的コンタクト可能な十分な領域を有するランド７２，７３を有したものであればよい。端子部７１はカバーシート５３ａ，５３ｂから外部に突出しているので、外部回路との接続も容易である。
【００７０】
図１１（ｂ）は他の例であり、端子部７６，７８がカバーシート５３ａ，５３ｂの間に設けられており、カバーシート５３ａの一部に開口部７６ａ，７８ａが設けられ、当該開口部７６ａ，７８ａから端子部７６，７８が露出した構造となっている。この構成においても、各端子部７６，７８は、電気的コンタクト可能な十分な領域を有するランド７７，７９を有している。端子部７６，７８は開口部７６ａ，７８ａから露呈しているので外部回路との接続も容易である。
【００７１】
一方、一のアンテナ装置５６は図１２（内部の構造を説明するためにカバーシート５３ａ，５３ｂの図示を省略）に示されるように、導線を渦巻状に巻回して形成されたスパイラルコイル５１と、磁性粒子と結合剤を混練して作製した磁気シールド材５２、及び、スパイラルコイル５１を磁気シールド材５２に組み込んだ集合体（図１２）の全部分を覆うように貼り付けられたカバーシート５３ａ，５３ｂを備える。
【００７２】
スパイラルコイル５１は、導線の端部に引出部５４（５４ａ，５４ｂ）を有しており、引出部５４ａ，５４ｂに整流回路等を接続することによって二次側回路を構成する。
【００７３】
磁気シールド材５２には、引出部５４（５４ａ，５４ｂ）を埋設するための引出部用溝５５（５５ａ，５５ｂ）が設けられており、スパイラルコイル５１の内周側の引出部５４ｂは引出部用溝５５ｂに沿って、スパイラルコイル５１の外周側の引出部５４ａは引出部用溝５５ａに沿って、それぞれ磁気シールド材５２の外側に導かれる。
【００７４】
さらに、引出部用溝５５は、引出部５４を固定させることから、スパイラルコイル５１の位置決めがより確実にでき、更に引出部５４の端部位置を限定するので、外部回路との接合が容易となる。また、内周側からの引出線５４ｂを磁気シールド材５２の中に埋設させるので、この導線の厚さに相当する分、一のアンテナ装置５６全体の厚みを薄くすることができる。一のアンテナ装置５６の厚さに余裕があり、また外部回路との接続も容易な場合は磁性シールド材５２に設ける引出部用溝５５ａ，５５ｂの一方あるいは両方を省略することができる。
【００７５】
カバーシート５３ａ，５３ｂは、基材となる誘電体シートの片面、あるいは両面に粘着層を形成したシートで磁性シールド材５２よりも大きな面積を有する。カバーシート５３ａ，５３ｂは、スパイラルコイル５１を磁気シールド材５２に組み込んでなる集合体を上下から覆うようにして接着され、その端部が当該集合体よりも外側において相互に密着される。したがって、最終的に図９に示したように、カバーシート５３ａ，５３ｂの密着部が一のアンテナ装置５６の縁を形成し、スパイラルコイル５１の引出部５４のみが、当該縁から外側に引き出された形態となる。
【００７６】
磁気シールド材５２は、金属磁性粉末からなる磁性粒子と結合剤としての樹脂とを含んでいる。磁性粒子は、第１，２の実施形態と同様、Ｆｅ系、Ｃｏ系、Ｎｉ系、Ｆｅ−Ｎｉ系、Ｆｅ−Ｃｏ系、Ｆｅ−Ａｌ系、Ｆｅ−Ｓｉ系、Ｆｅ−Ｓｉ−Ａｌ系、Ｆｅ−Ｎｉ−Ｓｉ−Ａｌ系等の結晶系、微結晶系金属磁性体、あるいはＦｅ−Ｓｉ−Ｂ系、Ｆｅ−Ｓｉ−Ｂ−Ｃｒ系、Ｃｏ−Ｓｉ−Ｂ系、Ｃｏ−Ｚｒ系、Ｃｏ−Ｎｂ系、Ｃｏ−Ｔａ系等のアモルファス金属磁性体の粒子である。磁気シールド材５２は上記磁性粒子の他に、熱伝導性や粒子充填性等を向上させるためのフィラーを含むことができる。
【００７７】
また、前述した第１，２実施形態と同様に、磁気シールド材５２に用いる磁性粒子には、粒径が数μｍ〜２００μｍの球形、回転楕円体形、あるいは粉砕された粉末を用いるが、単体の磁性粉のみならず、粉径、材質、形状の異なる粉末を混合して用いても良い。金属磁性粒子を用いる場合には、複素透磁率が周波数特性を有しており、動作周波数が高くなると表皮効果により損失が生じるので、使用する周波数の帯域に応じて粒径及び形状を調整する。
【００７８】
また、一のアンテナ装置５６のインダクタンス値は、磁気シールド材２の実部平均透磁率（以下、単に平均透磁率という。）に大きく依存するが、この平均透磁率は磁性粉と樹脂との混合比率により調整することができる。
【００７９】
磁性粉を多く充填すると、磁気シールド材５２の平均透磁率を向上させることができるが、結合剤の割合が少なくなるので、例えば、金属粒子と結合剤を混練してシート化する場合は、気泡が入り易くシート化することが困難になる。また、充填率を上げるために金属粒子と結合剤を金型に充填し高圧プレス及び加熱処理して作製した、所謂圧粉成形品においては金属粒子が脱落し易くなる。このため、金属磁性粒子の充填率はこれら不具合点も考慮して決める。
【００８０】
また、磁気シールド材５２は材質、充填率の異なる複数の磁気シールド材を組み合わせた積層構造、複合構造として用いることができ、更に強度補強あるいは防錆処理等の目的で樹脂を含浸させたり、コーティングを施したりすることができる。
【００８１】
そして、他の磁気シールド材６２としては、磁気シールド材５２と同じ磁性粒子と結合剤からなる材料、あるいは材質、配合量を変更した材料を用いることができ、磁気シールド材５２と同じものを用いる場合は省略することができる。更に、Ｍｎ−Ｚｎ、Ｎｉ−Ｚｎ系の酸化物磁性体や、Ｆｅ系、Ｃｏ系、Ｎｉ系、Ｆｅ−Ｎｉ系、Ｆｅ−Ｃｏ系、Ｆｅ−Ａｌ系、Ｆｅ−Ｓｉ系、Ｆｅ−Ｓｉ−Ａｌ系、Ｆｅ−Ｎｉ−Ｓｉ−Ａｌ系等の結晶系、微結晶系金属磁性体、あるいはＦｅ−Ｓｉ−Ｂ系、Ｆｅ−Ｓｉ−Ｂ−Ｃｒ系、Ｃｏ−Ｓｉ−Ｂ系、Ｃｏ−Ｚｒ系、Ｃｏ−Ｎｂ系、Ｃｏ−Ｔａ系等のアモルファス金属磁性体を用いることができる。
【００８２】
結合剤には、熱、紫外線照射等により硬化する樹脂等を用いる。結合剤としては、たとえばエポキシ樹脂、フェノール樹脂、メラミン樹脂、ユリア樹脂、不飽和ポリエステル等の樹脂、あるいはシリコーンゴム、ウレタンゴム、アクリルゴム、ブチルゴム、エチレンプロピレンゴム等のゴム等周知の材料を用いることができる。これらに限られないことは言うまでもない。なお、上述の樹脂又はゴムに、難燃剤、反応調整剤、潤滑剤、架橋剤又はシランカップリング剤等の表面処理剤を適量加えてもよい。
【００８３】
また、スパイラルコイル５１、他のスパイラルコイル６１を形成する導線は０．１５ｍｍ〜０．５ｍｍの径のＣｕ又はＣｕを主成分とする合金からなる単線を用いることが好ましい。あるいは、導線の表皮効果を低減させるために、上述の単線よりも細い細線を複数本束ねた並行線、編線を用いてもよく、厚みの薄い平角線又は扁平線を用いて１層、又は２層のα巻としてもよい。更に、コイル部を薄くするために導体を誘電体基材の片面あるいは両面に薄くパターニングして作製したＦＰＣコイルを用いることもできる。但し、これらには限定されない。
【００８４】
以下、図１０乃至１４を参照して、この複合アンテナ装置の製造方法の一例について説明する。
【００８５】
まず、図１２に示すように、スパイラルコイル５１、磁気シールド材５２、カバーシート５３ａ，５３ｂ（図では省略されている）を用意する。ここでは、磁気シールド材５２に、スパイラルコイル５１の形状に相当する凹部及びスパイラルコイル５１の引出部５４（５４ａ，５４ｂ）を収納する引出部用溝５５（５５ａ，５５ｂ）を設けた圧粉成形コアを用いている。この磁気シールド材５２の形状は、先に図６（ａ）乃至（ｄ）で示したようなものであってもよく、突起の無い平板形状であってもよい。なお、このような圧粉成形材を使用する場合は、金型からの抜きを容易にするためと、後に続くカバーシート５３ａ，５３ｂの貼り付け時にカバーシート５３ａ，５３ｂを傷つけないようにするために、エッジが面取された形状になるように設計するのが好ましい。
【００８６】
次に、図１２に示したように、スパイラルコイル５１を磁気シールド材５２の凹部に挿入して一体化させる。この時、スパイラルコイル５１の外周及び内周からの引出部５４ａ，５４ｂは、磁気シールド材５２の引出部溝５５ａ，５５ｂにそれぞれ収納させる。この後、図１３に示したようなカバーシート５３ａ，５３ｂを上下から挟み込むようにして接着させ、スパイラルコイル５１と磁気シールド材５２の一体物の外側でカバーシート５３ａ，５３ｂを密着させる。
【００８７】
この後、他の磁気シールド材６２と、他のスパイラルコイル６１を、上記密着しているカバーシート５３ａ，５３ｂのカバーシート５３ａ面上の所定の位置に順次接着していく。他の磁気シールド材６２と、他のスパイラルコイル６１は、予め接合一体化しておいたものを用いても良く（つまり、他のアンテナ装置５６として組み立てられた状態）、その場合、一のアンテナ装置５６の突起部が、他のアンテナ装置６３の内径を規制するような大きさにしておくことで、他のアンテナ装置６３の位置決めを容易にする。
【００８８】
このような手順により図１０に示したような複合アンテナ装置５０が完成する。完成品では、スパイラルコイル５１と磁気シールド材５２が、カバーシート５３ａ，５３ｂにより完全に隠されており、またスパイラルコイル５１からの引出部５４がカバーシート５３ａ，５３ｂの間から引き出された形態となっている。
【００８９】
なお、スパイラルコイル５１と磁気シールド材５２との接着を確実に行うために、図１４に示されるように、接着層５７を用いることもできる。即ち、スパイラルコイル５１と磁気シールド材５２との間に接着層５７が介在してもよい。この場合、スパイラルコイル５１で発生した熱をより有効に磁気シールド材５２側に逃す目的で熱伝導材を含有した熱伝導性の接着層を用いることができる。
【００９０】
このような製造方法によれば、複合アンテナ装置５０は、（１）スパイラルコイル５１の磁気シールド材５２への組み込み、（２）カバーシート５３ａ，５３ｂでの接着、封止、（３）他のアンテナ装置６３の貼り付け、の三つの工程で作製できるので、作製が容易である。また、スパイラルコイル６１の位置決め精度が良いので、アンテナ装置５０の性能が安定化する。さらに、金属磁性粉末を使用した磁気シールド材５２がカバーシート５３ａ，５３ｂにより安全に密封されているので、金属磁性粉の周辺回路に飛散を防止し、電気的な不具合を起こす事態を回避することができる。
【００９１】
尚、このようなアンテナ装置５０も、先に図５（ａ）に示したように、回路基板、当該回路基板を覆うエンクロージャー等の金属シールド及びバッテリーパック等、本体７の一部を構成する部分や、先に図５（ｂ）に示したように、筐体側８に貼り付けて用いられるので、それら貼りつけ部分に相当する側のカバーシート３ａ，３ｂ（本実施形態では、符号５３ａ，５３ｂに相当）の全面、あるいは一部を両面接着仕様にしておくことで、特別な工程を追加することなく、剥離シートを剥してそのまま張り付けて使用することができる。
【００９２】
以上説明したように、本発明の第３の実施形態によれば、スパイラルコイル５１と、金属磁性粉と結合剤を混練成形してなる磁気シールド材５２とが、二つのカバーシート５３ａ，５３ｂにより挟み込むようにして接着され、上記二つのカバーシート５３ａ，５３ｂが端部で互いに接合された一のアンテナ装置５６と、上記カバーシート５３ａの上記接合部の面上に他のスパイラルコイル６１と他の磁気シールド材６２を設置してなる他のアンテナ装置６３とを具備したことを特徴とする複合アンテナ装置５０が提供される。
【００９３】
従って、上記効果に加えて、一方の金属粉末と結合剤を混練して作製された磁気シールド材５２を用いる一のアンテナ装置５６が、上下から粘着性を有するカバーシート５３ａ，５３ｂにより挟み込むようにして接着密封されているので、金属磁性粉の脱落、飛散の心配がなく、更に他のアンテナ装置６３は、上記カバーシート５３ａの面に形成されるので、その設置に必要な面積を小さくすることができる。
【００９４】
以上、本発明の第１乃至第３の実施形態について説明したが、本発明はこれらに限定されることなく、その主旨を逸脱しない範囲で種々の改良・変更が可能であることは勿論である。例えば、本実施形態に係るアンテナ装置、複合アンテナ装置は、スマートフォン等の電子機器への適用が可能である。
【符号の説明】
【００９５】
１，１１  スパイラルコイル
２，１２，１７，２２，３２  磁気シールド材
３ａ，３ｂ，１３ａ，１３ｂ，５３ａ，５３ｂ  カバーシート
４，４ａ，４ｂ  引出部
５，５ａ，５ｂ，１５ａ，１５ｂ，５５、５５ａ，５５ｂ  引出部用溝
６，１６，５０  アンテナ装置
７  本体
８  筐体
９  端子部
１４，１４ａ，１４ｂ  引出部
１８，４２，６２  他の磁気シールド材
２０，５７  接着層
２１，６１  他のスパイラルコイル
２４，２４ａ，２４ｂ  引出部
５４，５４ａ，５４ｂ  引出部
５６  一のアンテナ装置
６３  他のアンテナ装置
６４，６４ａ，６４ｂ  引出部
７０  複合アンテナ装置
７１，７６，７８  端子部
７２，７３，７７，７９  ランド
【図１】
2015065632.tif 000003
【図２】
2015065632.tif 000004
【図３】
2015065632.tif 000005
【図４】
2015065632.tif 000006
【図５】
2015065632.tif 000007
【図６】
2015065632.tif 000008
【図７】
2015065632.tif 000009
【図８】
2015065632.tif 000010
【図９】
2015065632.tif 000011
【図１０】
2015065632.tif 000012
【図１１】
2015065632.tif 000013
【図１２】
2015065632.tif 000014
【図１３】
2015065632.tif 000015
【図１４】
2015065632.tif 000016